(57)【要約】【課題】照明器具１０への取り付け作業が容易なルーバ３０を提供することを目的とする。【解決手段】ルーバ本体３１の両側面には、取り付けネジ３２をねじ込むネジ穴３４が設けられている。ルーバ本体３１の両側面のネジ穴３４及びその周縁部は、取り付けネジ３２を回転軸としてルーバ本体３１が回転自在となるように取り付けネジ３２を軸支する回転軸支部６２を形成している。ルーバ本体３１の両側面には、器具本体１１の引っ掛け穴２０に引っ掛ける引っ掛け金具３８と、器具本体１１の引っ掛け穴２０に対応する位置に、引っ掛け金具３８の頭部３９をルーバ本体３１の外側に突出させる穴３７とが設けられている。ルーバ本体３１の両側面の穴３７及びその周縁部は、引っ掛け金具３８の頭部３９が器具本体１１に届く位置と届かない位置とに調整自在となるように引っ掛け金具３８を支持する支持部６１を形成している。【選択図】図２
2008277105.tif 000002
【特許請求の範囲】
【請求項１】
天井に設置される器具に取り付けられるオプション部材において、
オプション本体と、
前記オプション本体の両側面に、前記オプション本体の一方の端部を前記器具の内側に取り付ける取り付け部品を有し、前記取り付け部品を回転軸として前記オプション本体が回転することにより、前記オプション本体の他方の端部が前記器具から突出した状態と前記器具に収納された状態とに調整自在となるように前記取り付け部品を軸支する回転軸支部と、
前記オプション本体の両側面に、前記オプション本体の他方の端部を前記器具の内側に引っ掛ける引っ掛け部品を有し、前記オプション本体の他方の端部が前記器具に収納された状態で前記引っ掛け部品が所定の正逆方向に移動することにより、前記引っ掛け部品の頭部が前記器具に届く位置と届かない位置とに調整自在となるように前記引っ掛け部品を支持する支持部とを備えることを特徴とするオプション部材。
【請求項２】
前記オプション本体の両側面は、一部が、前記引っ掛け部品の頭部が前記器具に届かない位置に調整されたときに前記引っ掛け部品の頭部を収納するようにエンボス加工されていることを特徴とする請求項１に記載のオプション部材。
【請求項３】
前記支持部は、前記引っ掛け部品に、前記所定の正逆方向の一方向に作用するバネを有することを特徴とする請求項１又は２に記載のオプション部材。
【請求項４】
前記取り付け部品は、導電体からなり、前記オプション本体と前記器具とを電気的に接続することを特徴とする請求項１から３までのいずれかに記載のオプション部材。
【請求項５】
前記取り付け部品は、ネジであることを特徴とする請求項４に記載のオプション部材。
【請求項６】
天井に設置される照明器具において、
器具本体と、
前記器具本体に取り付けられるオプション部材とを具備し、
前記オプション部材は、
オプション本体と、
前記オプション本体の両側面に、前記オプション本体の一方の端部を前記器具本体の内側に取り付ける取り付け部品を有し、前記取り付け部品を回転軸として前記オプション本体が回転することにより、前記オプション本体の他方の端部が前記器具本体から突出した状態と前記器具本体に収納された状態とに調整自在となるように前記取り付け部品を軸支する回転軸支部と、
前記オプション本体の両側面に、前記オプション本体の他方の端部を前記器具本体の内側に引っ掛ける引っ掛け部品を有し、前記オプション本体の他方の端部が前記器具本体に収納された状態で前記引っ掛け部品が所定の正逆方向に移動することにより、前記引っ掛け部品の頭部が前記器具本体に届く位置と届かない位置とに調整自在となるように前記引っ掛け部品を支持する支持部とを備えることを特徴とする照明器具。
【請求項７】
前記器具本体の内側には、前記引っ掛け部品を引っ掛ける引っ掛け穴が設けられ、
前記引っ掛け穴は、前記照明器具が天井に設置されたときの上方が、前記引っ掛け部品の頭部が挿入できる大きさに開口され、下方が、前記引っ掛け部品の頭部が抜けない大きさに開口されていることを特徴とする請求項６に記載の照明器具。
【請求項８】
前記取り付け部品は、前記オプション本体の一方の端部を前記器具本体の内側に引っ掛けて取り付けるものであり、
前記支持部は、前記引っ掛け部品を回転軸として前記オプション本体が回転することにより、前記オプション本体の一方の端部が前記器具本体から突出した状態と前記器具本体に収納された状態とに調整自在となるように前記引っ掛け部品を軸支し、
前記回転軸支部は、前記オプション本体の一方の端部が前記器具本体に収納された状態で前記取り付け部品が所定の正逆方向に移動することにより、前記取り付け部品の頭部が前記器具本体に届く位置と届かない位置とに調整自在となるように前記取り付け部品を支持することを特徴とする請求項６又は７に記載の照明器具。
【請求項９】
天井に設置される照明器具において、
器具本体と、
前記器具本体に取り付けられるオプション部材とを具備し、
前記オプション部材は、
オプション本体と、
前記オプション本体の両側面に、前記オプション本体の一方の端部を前記器具本体の内側に取り付ける取り付け部品を有し、前記取り付け部品を回転軸として前記オプション本体が回転することにより、前記オプション本体の他方の端部が前記器具本体から突出した状態と前記器具本体に収納された状態とに調整自在となるように前記取り付け部品を軸支する回転軸支部とを備え、
前記オプション本体の両側面には、前記オプション本体の他方の端部を前記器具本体の内側に引っ掛ける引っ掛け穴が設けられ、
前記器具本体は、
前記引っ掛け穴に引っ掛ける引っ掛け部品を有し、前記オプション本体の他方の端部が前記器具本体に収納された状態で前記引っ掛け部品が所定の正逆方向に移動することにより、前記引っ掛け部品の頭部が前記オプション本体に届く位置と届かない位置とに調整自在となるように前記引っ掛け部品を支持する支持部とを備えることを特徴とする照明器具。
【請求項１０】
前記引っ掛け部品は、板バネであることを特徴とする請求項９に記載の照明器具。
【請求項１１】
前記器具本体の内側は、一部が、前記引っ掛け部品の頭部が前記オプション本体に届かない位置に調整されたときに前記引っ掛け部品の頭部を収納するようにエンボス加工されていることを特徴とする請求項９に記載の照明器具。
【請求項１２】
天井に設置される照明器具において、
器具本体と、
前記器具本体に取り付けられるルーバとを具備し、
前記ルーバは、
ルーバ本体と、
前記ルーバ本体の一方の端部の両側面に設置され、前記器具本体の内側の対応する位置に設けられたネジ穴にねじ込まれる１対の取り付けネジと、
前記ルーバ本体の他方の端部の両側面に設置される１対の引っ掛け金具とを備え、
前記ルーバ本体は、前記１対の引っ掛け金具が前記器具本体の内側の対応する位置に設けられた引っ掛け穴に引っ掛けられていない場合、前記１対の取り付けネジを回転軸として回転自在となり、前記１対の引っ掛け金具が前記器具本体の内側の対応する位置に設けられた引っ掛け穴に引っ掛けられた場合、前記器具本体に固定されることを特徴とする照明器具。
【請求項１３】
天井に設置される照明器具において、
器具本体と、
前記器具本体に取り付けられるルーバとを具備し、
前記ルーバは、
ルーバ本体と、
前記ルーバ本体の一方の端部の両側面に設置され、前記器具本体の内側の対応する位置に設けられたネジ穴にねじ込まれる１対の取り付けネジと、
前記ルーバ本体の他方の端部の両側面に設けられる１対の引っ掛け穴とを備え、
前記ルーバ本体は、前記１対の引っ掛け穴に前記器具本体の内側の対応する位置に設置された板バネが引っ掛けられていない場合、前記１対の取り付けネジを回転軸として回転自在となり、前記１対の引っ掛け穴に前記器具本体の内側の対応する位置に設置された板バネが引っ掛けられた場合、前記器具本体に固定されることを特徴とする照明器具。
【発明の詳細な説明】
【技術分野】
【０００１】
本発明は、オプション部材及びオプション部材を備えた照明器具に関するものである。本発明は、特に、ルーバ及びルーバを備えた照明器具に関するものである。
【背景技術】
【０００２】
天井に設置される器具に取り付けられるオプション部材として、照明器具に取り付けられるルーバなどの光制御部材がある（例えば、特許文献１及び２参照）。従来のルーバとしては、一端側が照明器具の開口部の開口面に対して平行にスライドし、他端側が照明器具の器具本体に係止されるように形成され、上記開口部を開閉可能なものがある（例えば、特許文献３参照）。
【特許文献１】実開平６−６００１８号公報
【特許文献２】特開平５−２２５８１６号公報
【特許文献３】特開２００５−３８７９０号公報
【発明の開示】
【発明が解決しようとする課題】
【０００３】
従来のルーバは、外枠に幅を持たせ、そこにキックバネなどでルーバ本体を照明器具へ固定するための取り付け機構を備えるなど、ルーバの構造が複雑であるという課題があった。また、キックバネなどの操作に力が要るなど、ルーバの取り付け作業が容易でないという課題があった。照明器具の開口部を開閉可能なものであっても、ルーバの開閉作業に多くの手順を要するという課題があった。
【０００４】
本発明は、例えば、照明器具への取り付け作業が容易なルーバを提供することを目的とする。本発明は、特に、開閉作業に必要な手順が少ないルーバを提供することを目的とする。
【課題を解決するための手段】
【０００５】
本発明の一の態様に係るオプション部材は、
天井に設置される器具に取り付けられるオプション部材において、
オプション本体と、
前記オプション本体の両側面に、前記オプション本体の一方の端部を前記器具の内側に取り付ける取り付け部品を有し、前記取り付け部品を回転軸として前記オプション本体が回転することにより、前記オプション本体の他方の端部が前記器具から突出した状態と前記器具に収納された状態とに調整自在となるように前記取り付け部品を軸支する回転軸支部と、
前記オプション本体の両側面に、前記オプション本体の他方の端部を前記器具の内側に引っ掛ける引っ掛け部品を有し、前記オプション本体の他方の端部が前記器具に収納された状態で前記引っ掛け部品が所定の正逆方向に移動することにより、前記引っ掛け部品の頭部が前記器具に届く位置と届かない位置とに調整自在となるように前記引っ掛け部品を支持する支持部とを備えることを特徴とする。
【発明の効果】
【０００６】
本発明の一の態様によれば、天井に設置される器具に取り付けられるオプション部材において、回転軸支部が、オプション本体の両側面に有する取り付け部品を回転軸として前記オプション本体が回転することにより、前記オプション本体の端部が前記器具から突出した状態と前記器具に収納された状態とに調整自在となるように前記取り付け部品を軸支し、支持部が、前記オプション本体の端部が前記器具に収納された状態で前記オプション本体の両側面に有する引っ掛け部品が所定の正逆方向に移動することにより、前記引っ掛け部品の頭部が前記器具に届く位置と届かない位置とに調整自在となるように前記引っ掛け部品を支持するため、オプション部材の取り付け作業が容易となる。
【発明を実施するための最良の形態】
【０００７】
以下、本発明の実施の形態について、図を用いて説明する。
【０００８】
実施の形態１．
図１は、本実施の形態における照明器具１０の全体を示す斜視図である。
【０００９】
照明器具１０は、天井に設置される器具である。以下では、方向や位置（例えば、上方、下方、上側、下側など）を表す場合、照明器具１０が天井に設置されたときの方向や位置を意味するものとする。
【００１０】
照明器具１０は、器具本体１１のほか、端板１２、照明１３、ルーバ３０を備える。図１では、ルーバ３０が閉じている状態を示している。
【００１１】
端板１２は、器具本体１１にネジ１４で固定されている。ルーバ３０は、複数枚のルーバ片により照明１３の光量を調整する光制御部材（オプション部材）であり、照明器具１０に対して開閉自在に取り付けられる。ルーバ本体３１は、一方の端部が器具本体１１に１対の取り付けネジ３２で固定されている。それぞれの取り付けネジ３２を回転軸としてルーバ本体３１を回転させることで、ルーバ３０を開いたり、閉じたりすることができる。ルーバ３０を開くと、ルーバ本体３１の他方の端部が器具本体１１から突出した状態になり、ルーバ３０を閉じると、ルーバ本体３１の他方の端部が器具本体１１に収納された状態になる。ルーバ３０を閉じる場合には、器具本体１１の内側に設けられた１対の引っ掛け穴２０に１対の引っ掛け金具３８の各々を引っ掛けることにより、ルーバ３０を固定することができる。
【００１２】
図２は、図１に示した照明器具１０の器具本体１１及びルーバ３０の１つを示す斜視図である。図２では、ルーバ３０が開いている状態（ルーバ本体３１の先端側が器具本体１１から突出した状態）を示している。
【００１３】
器具本体１１には、図１に示した端板１２を取り付けるためのネジ１４をねじ込むネジ穴１７が複数箇所に設けられている。
【００１４】
ルーバ本体３１の両側面には、ルーバ本体３１の一方の端部（以下、「回転軸側」ともいう）を器具本体１１の内側に取り付ける取り付けネジ３２（取り付け部品）と、ルーバ本体３１の他方の端部（以下、「先端側」ともいう）を器具本体１１の内側に引っ掛ける引っ掛け金具３８（引っ掛け部品）が設けられている。ルーバ本体３１の両側面の一部はエンボス加工されており、引っ掛け金具３８の頭部３９を収納可能なエンボス加工部４０を形成している。一方、器具本体１１の両側面の内側には、ルーバ３０の取り付けネジ３２に対応する位置に、取り付けネジ３２をねじ込むネジ穴１８が設けられており、ルーバ３０の引っ掛け金具３８に対応する位置に、引っ掛け金具３８を引っ掛ける引っ掛け穴２０が設けられている。
【００１５】
図３は、ルーバ３０の一部を拡大した斜視図である。図４は、引っ掛け金具３８の形状を例示した斜視図である。図５は、照明器具１０の器具本体１１の一部及びルーバ３０の先端側を拡大した斜視図であり、図６、図７は、さらに引っ掛け金具３８の周辺部を拡大した側面図である。図５、図６では、ルーバ３０が閉じている状態（ルーバ本体３１の先端側が器具本体１１に収納された状態）を示している。図７でも、ルーバ３０が閉じている状態を示しているが、ルーバ３０は固定されていない状態（下から支持しなければ、重力の作用により開く状態）である。
【００１６】
ルーバ本体３１の両側面には、器具本体１１の引っ掛け穴２０に引っ掛ける引っ掛け金具３８と、器具本体１１の引っ掛け穴２０に対応する位置に、引っ掛け金具３８の頭部３９をルーバ本体３１の外側に突出させる穴３７とが設けられている。ルーバ本体３１の両側面の穴３７及びその周縁部は、引っ掛け金具３８の頭部３９が器具本体１１に届く位置と届かない位置とに調整自在となるように引っ掛け金具３８を支持する支持部６１を形成している（図６、図７では、器具本体１１の位置をＡとし、引っ掛け金具３８が太線矢印方向に移動することで、引っ掛け金具３８の頭部３９を器具本体１１に届く位置Ｂと器具本体１１に届かない位置Ｂ´とに調整可能であることを示している）。これにより、ルーバ３０を閉じるときには、図３の（ａ）、（ｃ）、図６に示すように、引っ掛け金具３８の頭部３９を器具本体１１に届く位置に調整して、図５に示すように、器具本体１１の引っ掛け穴２０に引っ掛け金具３８を引っ掛けることで、ルーバ本体３１の先端側を器具本体１１の内側に取り付けることができる。また、ルーバ３０を開くときには、図３の（ｂ）、（ｄ）、図７に示すように、引っ掛け金具３８の頭部３９を器具本体１１に届かない位置に調整し、引っ掛け金具３８の頭部３９をエンボス加工部４０に収納して、器具本体１１の引っ掛け穴２０に引っ掛け金具３８が引っ掛からないようにすることで、ルーバ本体３１の先端側を器具本体１１の内側から取り外すことができる。このように、ルーバ本体３１の先端側が器具本体１１に収納された状態で引っ掛け金具３８が所定の正逆方向に移動することにより、引っ掛け金具３８の頭部３９が器具本体１１に届く位置と届かない位置とに調整自在となっている。
【００１７】
図８は、器具本体１１の一部を拡大した斜視図である。
【００１８】
器具本体１１の両側面の引っ掛け穴２０は、上方５６が、引っ掛け金具３８の頭部３９が挿入できる大きさに開口されている。また、下方５７が、引っ掛け金具３８の頭部３９が抜けない大きさに開口されている（下方５７も、引っ掛け金具３８の軸は挿入できる大きさになっていることはいうまでもない）。引っ掛け穴２０をこのような形状にすることで、ルーバ３０を開くには、ルーバ本体３１の先端側を一旦押し上げなければならなくなるため、ルーバ３０を閉じたときに、引っ掛け金具３８が器具本体１１の引っ掛け穴２０から外れにくくなる。
【００１９】
ルーバ３０を開く場合は、引っ掛け金具３８の頭部３９が器具本体１１の引っ掛け穴２０の下方５７から上方５６の位置にいくまでルーバ本体３１の先端側を押し上げる。そして、引っ掛け金具３８を内側方向（所定の正逆方向の一方向）に引っ張るか、又は、引っ掛け金具３８の頭部３９の引っ掛け穴２０から突出した部分を器具本体１１の外側から押し込むと、引っ掛け金具３８が引っ掛け穴２０から外れ、ルーバ本体３１を引き下げることができる。また、ルーバ３０を閉じる場合は、引っ掛け金具３８の頭部３９が引っ掛け穴２０の上方５６の位置にいくまでルーバ本体３１の先端側を押し上げてから、引っ掛け金具３８を外側方向（所定の正逆方向の他方向）に押し出す。そして、引っ掛け金具３８の頭部３９が引っ掛け穴２０の下方５７の位置にいくまでルーバ本体３１の先端側を引き下げると、引っ掛け金具３８が引っ掛け穴２０の下方５７に引っ掛かり、ルーバ本体３１を固定することができる。
【００２０】
図９は、図２に示した器具本体１１の一部及びルーバ３０の回転軸側を拡大した斜視図であり、図１０は、さらに取り付けネジ３２の周辺部を拡大した側面図である。
【００２１】
ルーバ本体３１の両側面には、取り付けネジ３２をねじ込むネジ穴３４が設けられている。ルーバ本体３１の両側面のネジ穴３４及びその周縁部は、取り付けネジ３２を回転軸としてルーバ本体３１が回転自在となるように取り付けネジ３２を軸支する回転軸支部６２を形成している。これにより、ルーバ３０の開閉作業を行うときには、取り付けネジ３２を回転軸としてルーバ本体３１を回転させることで、ルーバ本体３１の先端側を器具本体１１の内側から取り外したり、器具本体１１の内側に取り付けたりすることができる。
【００２２】
ここで、取り付けネジ３２の根元６３は、直接軸支される部分であるため、この部分にはネジが切られていないものとする。また、取り付けネジ３２がねじ込まれる器具本体１１のネジ穴１８はバーリング加工されており、内側にタップが設けられているものとする。
【００２３】
取り付けネジ３２は、鉄などの導電体からなるものとする。これにより、取り付けネジ３２がルーバ本体３１と照明器具１０の器具本体１１とを電気的に接続することになるため、照明器具１０を接地していれば、ルーバ３０が複雑な接地機構を備えていなくてもルーバ３０を接地することができる。また、照明器具１０の器具本体１１は塗装された板金であることが多いが、ルーバ本体３１の回転軸側を器具本体１１の内側に取り付ける取り付け部品に取り付けネジ３２を採用することで、取り付けネジ３２の先端で器具本体１１の塗装を剥ぎながら、取り付けネジ３２をルーバ本体３１のネジ穴３４及び器具本体１１のネジ穴１８にねじ込むことができる。これにより、ルーバ本体３１と照明器具１０の器具本体１１との電気的な接続を確保することができる。
【００２４】
本実施の形態の変形例として、ルーバ３０の回転軸側及び器具本体１１の対応する部分に、図５などに示したルーバ３０の先端側及び器具本体１１の対応する部分と同じ構造を採用してもよい。この場合、ルーバ３０の回転軸側にも、引っ掛け金具３８や穴３７が設けられることになる。そして、ルーバ３０の一方の端部及び他方の端部のどちらにある引っ掛け金具３８を回転軸とするかを必要に応じて選ぶことができる。これにより、ルーバ３０が左右両方向に開閉可能となり、利便性が向上する。
【００２５】
図１１は、本実施の形態の変形例（上記の変形例とは別の変形例である）における照明器具１０の全体を示す斜視図である。
【００２６】
図１に示した照明器具１０は、照明１３やルーバ３０を２つずつ備えるものであったが、図１１に示すように照明１３やルーバ３０を１つだけ備える照明器具１０にも、本実施の形態を適用することが可能である。
【００２７】
以上のように、本実施の形態では、ルーバ３０の一方の端部を照明器具１０に固定し、かつ、ルーバ３０を照明器具１０の開口部に対して開閉可能とする回転軸支部６２がルーバ３０の側面に形成されており、ルーバ３０の他方の端部を照明器具１０に固定するために、引っ掛け金具３８がルーバ３０の側面に設けられており、引っ掛け金具３８を引っ掛ける引っ掛け穴２０が照明器具１０の側面に設けられている。これにより、照明器具１０への取り付け作業が容易なルーバ３０を提供することができる。また、開閉作業に必要な手順が少なく、開閉作業が容易かつ自由自在なルーバ３０を提供することができる。その結果、照明１３の交換などが簡単に行える。また、引っ掛け金具３８の出っ張り状態でルーバ３０が完全に固定されているかどうかを確認できるため、安全性が向上する。
【００２８】
また、本実施の形態では、エンボス加工部４０がルーバ３０の側面に設けられている。これにより、ルーバ３０の開閉時、エンボス加工部４０に引っ掛け金具３８の頭部３９を収納することで、ルーバ３０と照明器具１０の隙間を狭くできるため、意匠の美観性が向上する。また、ルーバ３０と照明器具１０の隙間からの光漏れを抑えることができるので、器具効率が向上する。また、照明器具１０の側面にキズをつけることなく、ルーバ３０を開閉することができる。
【００２９】
実施の形態２．
本実施の形態について、主に実施の形態１との差異を説明する。
【００３０】
図１２は、本実施の形態におけるルーバ３０の一部を拡大した斜視図である。図１３は、照明器具１０の器具本体１１の一部及びルーバ３０の先端側を拡大した側面図である。図１３では、ルーバ３０が閉じている状態（ルーバ本体３１の先端側が器具本体１１に収納された状態）を示している。
【００３１】
ルーバ本体３１の両側面の引っ掛け金具３８には、引っ掛け金具３８の頭部３９が器具本体１１に届く位置から届かない位置への方向（図１３に示した太線矢印の方向）に作用するバネ４１が装着されている。このようなバネ４１を引っ掛け金具３８に装着することで、ルーバ３０が閉じている状態にて、引っ掛け金具３８の頭部３９が器具本体１１の引っ掛け穴２０の下方５７から上方５６の位置にいくまでルーバ本体３１の先端側を押し上げると、バネ４１の作用により引っ掛け金具３８が内側方向（所定の正逆方向の一方向）に引っ張られる。そして、引っ掛け金具３８が引っ掛け穴２０から外れ、重力の作用によりルーバ本体３１の先端側が下がる。このように、本実施の形態では、ルーバ本体３１の先端側を押し上げるだけで、ルーバ３０を開くことができる。
【００３２】
ルーバ３０を閉じる場合は、引っ掛け金具３８の頭部３９が引っ掛け穴２０の上方５６の位置にいくまでルーバ本体３１の先端側を押し上げてから、引っ掛け金具３８を外側方向（所定の正逆方向の他方向）に押し出す。そして、引っ掛け金具３８を外側方向に押し出したまま、引っ掛け金具３８の頭部３９が引っ掛け穴２０の下方５７の位置にいくまでルーバ本体３１の先端側を引き下げると、引っ掛け金具３８が引っ掛け穴２０の下方５７に引っ掛かり、ルーバ本体３１を固定することができる。
【００３３】
本実施の形態の変形例として、ルーバ本体３１の両側面の引っ掛け金具３８に、引っ掛け金具３８の頭部３９が器具本体１１に届かない位置から届く位置への方向（図１３に示した太線矢印と逆の方向）に作用するバネ４１を装着してもよい。この場合、ルーバ３０が開いている状態にて、引っ掛け金具３８の頭部３９が引っ掛け穴２０の上方５６の位置にいくまでルーバ本体３１の先端側を押し上げると、バネ４１の作用により引っ掛け金具３８が外側方向（所定の正逆方向の一方向）に押し出される。そして、引っ掛け金具３８の頭部３９が引っ掛け穴２０の下方５７の位置にいくまでルーバ本体３１の先端側を引き下げると、引っ掛け金具３８が引っ掛け穴２０の下方５７に引っ掛かり、ルーバ本体３１を閉じることができる。
【００３４】
実施の形態３．
本実施の形態について、主に実施の形態１との差異を説明する。
【００３５】
本実施の形態におけるルーバ３０の回転軸側及び照明器具１０の器具本体１１の対応する部分については、実施の形態１で図９、図１０に示したものと同様である。
【００３６】
図１４は、器具本体１１の一部及びルーバ３０の先端側を拡大した斜視図である。図１４では、ルーバ３０が閉じている状態（ルーバ本体３１の先端側が器具本体１１に収納された状態）を示している。
【００３７】
ルーバ本体３１の両側面には、ルーバ本体３１の先端側を器具本体１１の内側に引っ掛ける引っ掛け穴３３が設けられている。一方、器具本体１１の両側面には、ルーバ３０の引っ掛け穴３３に対応する位置に、引っ掛け穴３３に引っ掛ける引っ掛け金具２１と、引っ掛け金具２１の頭部２２を器具本体１１の内側に突出させる穴１９とが設けられている。器具本体１１の両側面の内側は、一部がエンボス加工されており、引っ掛け金具２１の頭部２２を収納可能なエンボス加工部２３を形成している。このように、実施の形態１ではルーバ本体３１側に１対の引っ掛け金具３８を設けているのに対し、本実施の形態では器具本体１１側に１対の引っ掛け金具２１を設けている。
【００３８】
器具本体１１の両側面の穴１９及びその周縁部は、引っ掛け金具２１の頭部２２がルーバ本体３１に届く位置と届かない位置とに調整自在となるように引っ掛け金具２１を支持する支持部５１を形成している。これにより、ルーバ３０を閉じるときには、引っ掛け金具２１の頭部２２をルーバ本体３１に届く位置に調整して、ルーバ本体３１の引っ掛け穴３３に引っ掛け金具２１を引っ掛けることで、ルーバ本体３１の先端側を器具本体１１の内側に取り付けることができる。また、ルーバ３０を開くときには、引っ掛け金具２１の頭部２２をルーバ本体３１に届かない位置に調整して、ルーバ本体３１の引っ掛け穴３３に引っ掛け金具２１が引っ掛からないようにすることで、ルーバ本体３１の先端側を器具本体１１の内側から取り外すことができる。
【００３９】
ルーバ本体３１の両側面の引っ掛け穴３３は、実施の形態１で図８に示した器具本体１１の両側面の引っ掛け穴２０と逆の形状をもつ。つまり、ルーバ本体３１の両側面の引っ掛け穴３３は、下方が、引っ掛け金具２１の頭部２２が挿入できる大きさに開口されている。また、上方が、引っ掛け金具２１の頭部２２が抜けない大きさに開口されている。引っ掛け穴３３をこのような形状にすることで、ルーバ３０を開くには、ルーバ本体３１の先端側を一旦押し上げなければならなくなるため、ルーバ３０を閉じたときに、引っ掛け金具２１がルーバ本体３１の引っ掛け穴３３から外れにくくなる。
【００４０】
ルーバ３０を開く場合は、引っ掛け穴３３の下方が引っ掛け金具２１の頭部２２の位置にいくまでルーバ本体３１の先端側を押し上げる。そして、引っ掛け金具２１を外側方向に押し出すと、引っ掛け金具２１が引っ掛け穴３３から外れ、ルーバ本体３１を引き下げることができる。また、ルーバ３０を閉じる場合は、引っ掛け穴３３の下方が引っ掛け金具２１の頭部２２の位置にいくまでルーバ本体３１の先端側を押し上げてから、引っ掛け金具２１の頭部２２を器具本体１１の外側から押し込む。そして、引っ掛け穴３３の上方が引っ掛け金具２１の頭部２２の位置にくるまでルーバ本体３１の先端側を引き下げると、引っ掛け金具２１が引っ掛け穴３３の上方に引っ掛かり、ルーバ本体３１を固定することができる。
【００４１】
以上のように、本実施の形態では、ルーバ３０の一方の端部を照明器具１０に固定し、かつ、ルーバ３０を照明器具１０の開口部に対して開閉可能とする回転軸支部６２がルーバ３０の側面に形成されており、ルーバ３０の他方の端部を照明器具１０に固定するために、引っ掛け金具２１が照明器具１０の側面に設けられており、引っ掛け金具２１を引っ掛ける引っ掛け穴３３がルーバ３０の側面に設けられている。これにより、照明器具１０への取り付け作業が容易なルーバ３０を提供することができる。また、引っ掛け金具３８の出っ張り状態でルーバ３０が完全に固定されているかどうかを確認できるため、安全性が向上する。
【００４２】
また、本実施の形態では、エンボス加工部２３が照明器具１０の側面に設けられている。これにより、ルーバ３０の開閉時、エンボス加工部２３に引っ掛け金具２１の頭部２２を収納することで、ルーバ３０と照明器具１０の隙間を狭くできるため、意匠の美観性が向上する。また、ルーバ３０と照明器具１０の隙間からの光漏れを抑えることができるので、器具効率が向上する。
【００４３】
実施の形態４．
本実施の形態について、主に実施の形態１との差異を説明する。
【００４４】
図１５は、本実施の形態における照明器具１０の器具本体１１及びルーバ３０の１つを示す斜視図である。図１６の（ａ）は、図１５に示した器具本体１１の一部及びルーバ３０の先端側を拡大した斜視図である。図１５、図１６の（ａ）では、ルーバ３０が閉じている状態（ルーバ本体３１の先端側が器具本体１１に収納された状態）を示している。図１６の（ｂ）、（ｃ）は、ルーバ３０の先端側の一部を拡大した斜視図である。図１６の（ｂ）は、ルーバ３０を内側方向からみた図であり、図１６の（ｃ）は、ルーバ３０を外側方向からみた図である。
【００４５】
ルーバ本体３１の両側面には、ルーバ本体３１の先端側を器具本体１１の内側に引っ掛ける引っ掛け金具３８（引っ掛け部品）が設けられている。ルーバ本体３１には、引っ掛け金具３８を挿入するためにブリッジ加工が施されており、挿入部４２を形成している。端板１２（ここでは、器具本体１１の一部とする）の内側には、ルーバ３０の引っ掛け金具３８に対応する位置に、引っ掛け金具３８を引っ掛ける引っ掛け穴２０が設けられている。
【００４６】
ルーバ３０の引っ掛け金具３８は、水平方向（図１６に示した太線矢印方向）にスライドすることによって、器具本体１１の端板１２に設けられた引っ掛け穴２０に挿入され、あるいは、抜き出される。引っ掛け金具３８の先端には、切り欠き４３が設けられており、引っ掛け金具３８を引っ掛け穴２０に挿入するときには、この切り欠き４３を引っ掛け穴２０に引っ掛けることで、ルーバ本体３１を固定することができる。また、引っ掛け金具３８には、挿入部４２からの抜け防止用に、弾力を持たせた切り起こし４４を設けている（ルーバ本体３１に切り起こしを設けてもよい）。また、切り起こし４４の反対側にも、抜け止め部４５を設けている。
【００４７】
ルーバ３０の回転軸側及び器具本体１１の対応する部分については、実施の形態１で図９、図１０に示したものと同様である。
【００４８】
実施の形態５．
図１７は、本実施の形態における照明器具１０の全体を示す斜視図である。
【００４９】
照明器具１０は、他の実施の形態と同様に、器具本体１１のほか、端板１２、照明１３、ルーバ３０を備える。図１７では、ルーバ３０が閉じている状態を示している。
【００５０】
端板１２は、器具本体１１にネジ１４で固定されている。ルーバ３０は、複数枚のルーバ片により照明１３の光量を調整する光制御部材（オプション部材）であり、照明器具１０に対して開閉自在に取り付けられる。ルーバ本体３１は、一方の端部が器具本体１１に１対の取り付けネジ３２で固定されている。それぞれの取り付けネジ３２を回転軸としてルーバ本体３１を回転させることで、ルーバ３０を開いたり、閉じたりすることができる。ルーバ３０を開くと、ルーバ本体３１の他方の端部が器具本体１１から突出した状態になり、ルーバ３０を閉じると、ルーバ本体３１の他方の端部が器具本体１１に収納された状態になる。ルーバ３０を閉じる場合には、ルーバ本体３１の他方の端部に１対の板バネ１５を引っ掛けることにより、ルーバ３０を固定することができる。それぞれの板バネ１５は、カシメ止め部１６で器具本体１１にカシメ止めされている。
【００５１】
図１８は、図１７に示した照明器具１０の器具本体１１及びルーバ３０の１つを示す斜視図である。図１８では、ルーバ３０が開いている状態を示している。
【００５２】
器具本体１１には、図１７に示した端板１２を取り付けるためのネジ１４をねじ込むネジ穴１７が複数箇所に設けられている。
【００５３】
ルーバ本体３１の両側面には、ルーバ本体３１の一方の端部（以下、他の実施の形態と同様に、「回転軸側」ともいう）を器具本体１１の内側に取り付ける取り付けネジ３２（取り付け部品）と、ルーバ本体３１の他方の端部（以下、他の実施の形態と同様に、「先端側」ともいう）を器具本体１１の内側に引っ掛ける引っ掛け穴３３とが設けられている。一方、器具本体１１の両側面には、ルーバ３０の取り付けネジ３２に対応する位置に、取り付けネジ３２をねじ込むネジ穴１８が設けられており、ルーバ３０の引っ掛け穴３３に対応する位置に、板バネ１５の頭部２２を器具本体１１の内側に突出させる穴１９が設けられている。
【００５４】
ルーバ３０の回転軸側及び器具本体１１の対応する部分については、実施の形態１で図９、図１０に示したものと同様である。
【００５５】
図１９は、図１８に示した器具本体１１の一部及びルーバ３０の先端側を拡大した斜視図であり、図２０、図２１は、さらに板バネ１５の周辺部を拡大した側面図である。図１９、図２０では、ルーバ３０が閉じている状態（ルーバ本体３１の先端側が器具本体１１に収納された状態）を示している。図２１でも、ルーバ３０が閉じている状態を示しているが、ルーバ３０は固定されていない状態（下から支持しなければ、重力の作用により開く状態）である。
【００５６】
器具本体１１の両側面の外側には、ルーバ本体３１の引っ掛け穴３３に引っ掛ける板バネ１５（引っ掛け部品）がカシメ止め部１６で固定されている。器具本体１１の両側面のカシメ止め部１６は、板バネ１５の頭部２２がルーバ本体３１に届く位置と届かない位置とに調整自在となるように板バネ１５を支持する支持部５１を形成している（図２０、図２１では、ルーバ本体３１の位置をＡとし、板バネ１５がカシメ止め部１６を支点として太線矢印方向に曲がることで、板バネ１５の頭部２２をルーバ本体３１に届く位置Ｂとルーバ本体３１に届かない位置Ｂ´とに調整可能であることを示している）。これにより、ルーバ３０を閉じるときには、図２０に示すように、板バネ１５の頭部２２をルーバ本体３１に届く位置に調整して、ルーバ本体３１の引っ掛け穴３３に板バネ１５を引っ掛けることで、ルーバ本体３１の先端側を器具本体１１の内側に取り付けることができる。また、ルーバ３０を開くときには、図２１に示すように、板バネ１５の頭部２２をルーバ本体３１に届かない位置に調整して、ルーバ本体３１の引っ掛け穴３３に板バネ１５が引っ掛からないようにすることで、ルーバ本体３１の先端側を器具本体１１の内側から取り外すことができる。このように、ルーバ本体３１の先端側が器具本体１１に収納された状態で板バネ１５が所定の正逆方向に移動することにより、板バネ１５の頭部２２がルーバ本体３１に届く位置と届かない位置とに調整自在となっている。
【００５７】
図２２は、板バネ１５の形状を例示した斜視図である。
【００５８】
図２２の（ａ）、（ｂ）、（ｃ）に示すように、板バネ１５の一端にはカシメ止め部１６を挿通させる穴５２が設けられており、板バネ１５の他端には様々な角度に折り曲げて斜め下方向への傾斜５３を下側につけた頭部２２が形成されている。このような傾斜５３を板バネ１５の頭部２２の下側につけることで、ルーバ３０が開いている状態において、ルーバ本体３１の先端側を押し上げていったときに、ルーバ本体３１が器具本体１１の両側面の穴１９から突出している板バネ１５の頭部２２を徐々に外側方向（所定の正逆方向の一方向）に押し出すことになる。そして、ルーバ本体３１の引っ掛け穴３３が板バネ１５の頭部２２の位置にいくまでルーバ本体３１の先端側を押し上げると、板バネ１５の作用により板バネ１５の頭部２２が内側方向（所定の正逆方向の他方向）に戻され、引っ掛け穴３３に板バネ１５の頭部２２が引っ掛かる。このように、本実施の形態では、ルーバ本体３１の先端側を押し上げるだけで、ルーバ３０を閉じることができる。ルーバ３０を閉じたときに、板バネ１５を引っ掛け穴３３から外れにくくするため、図２２の（ａ）に示すように、板バネ１５の頭部２２の上側に突起部５４を設けてもよい。逆に、ルーバ３０を開くときに、板バネ１５を引っ掛け穴３３から外れやすくするため、図２２の（ｃ）に示すように、板バネ１５の頭部２２の上側に傾斜５５をつけてもよい。この場合、板バネ１５の頭部２２を外側方向に押し出さなくても、ある程度の強い力でルーバ本体３１の先端側を下方向に引っ張れば、ルーバ３０を開くことができる。
【００５９】
ルーバ３０が閉じている状態にて、板バネ１５の頭部２２を外側方向に押し出すと、板バネ１５が引っ掛け穴３３から外れ、重力の作用によりルーバ本体３１の先端側が下がる。このように、本実施の形態では、板バネ１５の頭部２２を外側方向に押し出すだけで、ルーバ３０を開くことができる。
【００６０】
図２３は、本実施の形態の変形例における照明器具１０の全体を示す斜視図である。
【００６１】
図１７に示した照明器具１０は、照明１３やルーバ３０を２つずつ備えるものであったが、図２３に示すように照明１３やルーバ３０を１つだけ備える照明器具１０にも、本実施の形態を適用することが可能である。
【００６２】
以上のように、本実施の形態では、ルーバ３０の一方の端部を照明器具１０に固定し、かつ、ルーバ３０を照明器具１０の開口部に対して開閉可能とする回転軸支部６２がルーバ３０の側面に形成されており、ルーバ３０の他方の端部を照明器具１０に固定するために、バネ性を持たせた板バネ１５が照明器具１０の側面に設けられており、板バネ１５を引っ掛ける引っ掛け穴３３がルーバ３０の側面に設けられている。これにより、外枠を有しない、外枠が細い、といった簡易な取り付け機構を備え、照明器具１０への取り付け作業が容易なルーバ３０を提供することができる。また、開閉作業に必要な手順が少なく、開閉作業が容易かつ自由自在なルーバ３０を提供することができる。その結果、照明１３（ランプ）の交換などが簡単に行える。
【００６３】
実施の形態６．
本実施の形態について、主に実施の形態５との差異を説明する。
【００６４】
本実施の形態におけるルーバ３０の回転軸側及び照明器具１０の器具本体１１の対応する部分については、実施の形態１で図９、図１０に示したものと同様である。
【００６５】
図２４は、器具本体１１の一部及びルーバ３０の先端側を拡大した斜視図であり、図２５、図２６は、さらに板バネ３５の周辺部を拡大した側面図である。図２４、図２５では、ルーバ３０が閉じている状態（ルーバ本体３１の先端側が器具本体１１に収納された状態）を示している。図２６でも、ルーバ３０が閉じている状態を示しているが、ルーバ３０は固定されていない状態（下から支持しなければ、重力の作用により開く状態）である。
【００６６】
ルーバ本体３１の両側面には、ルーバ本体３１の先端側を器具本体１１の内側に引っ掛ける板バネ３５（引っ掛け部品）が設けられている。一方、器具本体１１の両側面には、ルーバ３０の板バネ３５に対応する位置に、板バネ３５を引っ掛ける引っ掛け穴２０が設けられている。このように、実施の形態５では器具本体１１側に１対の板バネ１５を設けているのに対し、本実施の形態ではルーバ本体３１側に１対の板バネ３５を設けている。
【００６７】
ルーバ本体３１の両側面の内側には、器具本体１１の引っ掛け穴２０に引っ掛ける板バネ３５がカシメ止め部３６で固定されている。ルーバ本体３１の両側面には、器具本体１１の引っ掛け穴２０に対応する位置に、板バネ３５の頭部３９をルーバ本体３１の外側に突出させる穴３７が設けられている。ルーバ本体３１の両側面のカシメ止め部３６は、板バネ３５の頭部３９が器具本体１１に届く位置と届かない位置とに調整自在となるように板バネ３５を支持する支持部６１を形成している（図２５、図２６では、器具本体１１の位置をＡとし、板バネ３５がそのバネ性により太線矢印方向に曲がることで、板バネ３５の頭部３９を器具本体１１に届く位置Ｂと器具本体１１に届かない位置Ｂ´とに調整可能であることを示している）。これにより、ルーバ３０を閉じるときには、図２５に示すように、板バネ３５の頭部３９を器具本体１１に届く位置に調整して、器具本体１１の引っ掛け穴２０に板バネ３５を引っ掛けることで、ルーバ本体３１の先端側を器具本体１１の内側に取り付けることができる。また、ルーバ３０を開くときには、図２６に示すように、板バネ３５の頭部３９を器具本体１１に届かない位置に調整して、器具本体１１の引っ掛け穴２０に板バネ１５が引っ掛からないようにすることで、ルーバ本体３１の先端側を器具本体１１の内側から取り外すことができる。このように、ルーバ本体３１の先端側が器具本体１１に収納された状態で板バネ３５が所定の正逆方向に移動することにより、板バネ３５の頭部３９が器具本体１１に届く位置と届かない位置とに調整自在となっている。
【００６８】
図２７は、板バネ３５の形状を例示した斜視図である。
【００６９】
図２７の（ａ）、（ｂ）に示すように、板バネ３５の一端にはカシメ止め部３６を挿通させる穴６４が設けられており（カシメ止め部３６がルーバ本体３１の外側、即ち、器具本体１１の方向に出っ張らないように、穴６４の周縁部にはエンボス加工を施してもよい）、板バネ３５の他端には様々な角度に折り曲げて斜め下方向への傾斜６６を上側につけた頭部３９が形成されている。このような傾斜６６を板バネ３５の頭部３９の上側につけることで、ルーバ３０が開いている状態において、ルーバ本体３１の先端側を押し上げていったときに、器具本体１１がルーバ本体３１の両側面の穴３７から突出している板バネ３５の頭部３９を徐々に内側方向に押し込むことになる。そして、板バネ３５の頭部３９が器具本体１１の引っ掛け穴２０の位置にいくまでルーバ本体３１の先端側を押し上げると、板バネ３５の作用により板バネ３５の頭部３９が外側方向に戻され、引っ掛け穴２０に板バネ３５の頭部３９が引っ掛かる。このように、本実施の形態では、ルーバ本体３１の先端側を押し上げるだけで、ルーバ３０を閉じることができる。
【００７０】
ルーバ３０が閉じている状態にて、板バネ３５の頭部３９を内側方向に引っ張るか、又は、板バネ３５の頭部３９の引っ掛け穴２０から突出した部分を器具本体１１の外側から押し込むと、板バネ３５が引っ掛け穴２０から外れ、重力の作用によりルーバ本体３１の先端側が下がる。このように、本実施の形態では、板バネ３５の頭部３９を内側方向に引っ張ったり、押し込んだりするだけで、ルーバ３０を開くことができる。ルーバ３０を開くときに、板バネ３５を引っ張りやすくするため、図２７の（ａ）、（ｂ）に示すように、板バネ３５の頭部３９の先端６５に上方への折り曲げ加工を施してもよい。また、ルーバ３０を開くときに、板バネ３５を引っ掛け穴２０から外れやすくするため、図２７の（ａ）に示すように、板バネ３５の頭部３９の下側に傾斜６６をつけてもよい。この場合、板バネ３５の頭部３９を内側方向に引っ張ったり、押し込んだりしなくても、ある程度の強い力でルーバ本体３１の先端側を下方向に引っ張れば、ルーバ３０を開くことができる。逆に、ルーバ３０を開くときに、板バネ３５を引っ掛け穴２０から外れにくくするため、図２７の（ｂ）に示すように、板バネ３５の頭部３９の下側を水平方向に折り曲げてもよい。
【００７１】
以上のように、本実施の形態では、ルーバ３０の一方の端部を照明器具１０に固定し、かつ、ルーバ３０を照明器具１０の開口部に対して開閉可能とする回転軸支部６２がルーバ３０の側面に形成されており、ルーバ３０の他方の端部を照明器具１０に固定するために、バネ性を持たせた板バネ３５がルーバ３０の側面に設けられており、板バネ３５を引っ掛ける引っ掛け穴２０が照明器具１０の側面に設けられている。これにより、照明器具１０への取り付け作業が容易なルーバ３０を提供することができる。また、開閉作業に必要な手順が少なく、開閉作業が容易かつ自由自在なルーバ３０を提供することができる。その結果、照明１３の交換などが簡単に行える。
【００７２】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【図面の簡単な説明】
【００７３】
【図１】実施の形態１における照明器具の全体斜視図である。
【図２】実施の形態１における照明器具の器具本体及びルーバの斜視図である。
【図３】実施の形態１におけるルーバの部分斜視図である。
【図４】実施の形態１におけるルーバの引っ掛け金具の斜視図である。
【図５】実施の形態１における照明器具の器具本体及びルーバの部分斜視図である。
【図６】実施の形態１における照明器具の器具本体及びルーバの部分側面図である。
【図７】実施の形態１における照明器具の器具本体及びルーバの部分側面図である。
【図８】実施の形態１における照明器具の器具本体の部分斜視図である。
【図９】実施の形態１における照明器具の器具本体及びルーバの部分斜視図である。
【図１０】実施の形態１における照明器具の器具本体及びルーバの部分側面図である。
【図１１】実施の形態１の変形例における照明器具の全体斜視図である。
【図１２】実施の形態２におけるルーバの部分斜視図である。
【図１３】実施の形態２における照明器具の器具本体及びルーバの部分側面図である。
【図１４】実施の形態３における照明器具の器具本体及びルーバの部分斜視図である。
【図１５】実施の形態４における照明器具の器具本体及びルーバの斜視図である。
【図１６】実施の形態４における照明器具の器具本体及びルーバの部分斜視図である。
【図１７】実施の形態５における照明器具の全体斜視図である。
【図１８】実施の形態５における照明器具の器具本体及びルーバの斜視図である。
【図１９】実施の形態５における照明器具の器具本体及びルーバの部分斜視図である。
【図２０】実施の形態５における照明器具の器具本体及びルーバの部分側面図である。
【図２１】実施の形態５における照明器具の器具本体及びルーバの部分側面図である。
【図２２】実施の形態５における照明器具の板バネの斜視図である。
【図２３】実施の形態５の変形例における照明器具の全体斜視図である。
【図２４】実施の形態６における照明器具の器具本体及びルーバの部分斜視図である。
【図２５】実施の形態６における照明器具の器具本体及びルーバの部分側面図である。
【図２６】実施の形態６における照明器具の器具本体及びルーバの部分側面図である。
【図２７】実施の形態６におけるルーバの板バネの斜視図である。
【符号の説明】
【００７４】
１０  照明器具、１１  器具本体、１２  端板、１３  照明、１４  ネジ、１５  板バネ、１６  カシメ止め部、１７  ネジ穴、１８  ネジ穴、１９  穴、２０  引っ掛け穴、２１  引っ掛け金具、２２  頭部、２３  エンボス加工部、３０  ルーバ、３１  ルーバ本体、３２  取り付けネジ、３３  引っ掛け穴、３４  ネジ穴、３５  板バネ、３６  カシメ止め部、３７  穴、３８  引っ掛け金具、３９  頭部、４０  エンボス加工部、４１  バネ、４２  挿入部、４３  切り欠き、４４  切り起こし、４５  抜け止め部、５１  支持部、５２  穴、５３  傾斜、５４  突起部、５５  傾斜、５６  上方、５７  下方、６１  支持部、６２  回転軸支部、６３  根元、６４  穴、６５  先端、６６  傾斜。
【図１】
2008277105.tif 000003
【図２】
2008277105.tif 000004
【図３】
2008277105.tif 000005
【図４】
2008277105.tif 000006
【図５】
2008277105.tif 000007
【図６】
2008277105.tif 000008
【図７】
2008277105.tif 000009
【図８】
2008277105.tif 000010
【図９】
2008277105.tif 000011
【図１０】
2008277105.tif 000012
【図１１】
2008277105.tif 000013
【図１２】
2008277105.tif 000014
【図１３】
2008277105.tif 000015
【図１４】
2008277105.tif 000016
【図１５】
2008277105.tif 000017
【図１６】
2008277105.tif 000018
【図１７】
2008277105.tif 000019
【図１８】
2008277105.tif 000020
【図１９】
2008277105.tif 000021
【図２０】
2008277105.tif 000022
【図２１】
2008277105.tif 000023
【図２２】
2008277105.tif 000024
【図２３】
2008277105.tif 000025
【図２４】
2008277105.tif 000026
【図２５】
2008277105.tif 000027
【図２６】
2008277105.tif 000028
【図２７】
2008277105.tif 000029